(57)【特許請求の範囲】
【請求項１】
互いに異なるメディア残長さ値と互いに異なるメディア幅値を持つ等した複数種類のロールメディアであり、芯部に、ロールメディアのメディア管理情報を記録した無線タグが付設されてなるロールメディアが収容されたストック部と、
該ストック部に収容された複数種類のロールメディアの芯部に付設された無線タグに記録されたメディア管理情報をそれぞれ読み取るストック部用読み取り手段と、
プリンタ駆動用のホストコンピュータに読み込まれたプリントデータに基づき、そのホストコンピュータにインストールされたアプリケーションソフトによりメディアにプリントする絵図のプリント情報を取得するプリント情報取得手段と、
前記ストック部に収容された複数種類のロールメディアの中から、前記ストック部用読み取り手段が読み取ったメディア管理情報を基準にして、前記プリント情報取得手段が取得したプリント情報に適合する適合ロールメディアを選択する選択手段と、
その適合ロールメディアをメディア供給部に送り込んで、その適合ロールメディアを、メディア供給部に巻き戻し可能に支持するメディア支持手段と、
プリンタのメディア供給部に支持されたロールメディアの芯部に付設された無線タグに記録されたメディア管理情報を読み取る供給部用読み取り手段と、
前記供給部用読み取り手段が読み取ったメディア管理情報と、前記プリント情報取得手段が取得したプリント情報とを比較、対比する対比手段と、
その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、そのメディア供給部に支持された不適合ロールメディアをメディア供給部から取り出すメディア取り出し手段と
が備えられてなることを特徴とするプリンタ。
【請求項２】
請求項１記載のプリンタを用いたメディア管理方法であって、
前記ストック部用読み取り手段により、前記ストック部に収容された互いに異なるメディア残長さ値と互いに異なるメディア幅値を持つ等した複数種類のロールメディアの芯部に付設された無線タグに記録されたメディア管理情報をそれぞれ読み取ると共に、
前記プリント情報取得手段により、プリンタ駆動用のホストコンピュータに読み込まれたプリントデータに基づき、そのホストコンピュータにインストールされたアプリケーションソフトによりメディアにプリントする絵図のプリント情報を取得して、
前記選択手段により、前記ストック部に収容された複数種類のロールメディアの中から、前記ストック部用読み取り手段が読み取ったメディア管理情報を基準にして、前記プリント情報取得手段が取得したプリント情報に適合する適合ロールメディアを選択し、
その適合ロールメディアを、前記メディア支持手段により、メディア供給部に送り込んで、そのメディア供給部に巻き戻し可能に支持した後、
そのメディア供給部に支持した適合ロールメディアに巻かれたメディアをプリンタ本体側に供給し、
かつ、
前記メディア供給部に支持された前記ロールメディアに巻かれたメディアをプリンタ本体側に供給する前に、前記供給部用読み取り手段により、そのメディア供給部に支持されたロールメディアの芯部に付設された無線タグに記録されたメディア管理情報を読み取ると共に、
そのメディア管理情報とプリント情報とを、前記対比手段により、比較、対比し、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、前記メディア取り出し手段により、そのメディア供給部に支持された不適合ロールメディアをメディア供給部から取り外すと共に、
前記選択手段により、そのストック部に収容された複数種類のロールメディアの中から、前記ストック部用読み取り手段が読み取ったメディア管理情報を基準にして、前記プリント情報取得手段が取得したプリント情報に適合する適合ロールメディアを選択し、
その適合ロールメディアを、前記メディア支持手段により、メディア供給部に送り込んで、そのメディア供給部に巻き戻し可能に支持した後、
そのメディア供給部に支持した適合ロールメディアに巻かれたメディアをプリンタ本体側に供給することを特徴とするメディア管理方法。
【請求項３】
互いに異なるメディア残長さ値と互いに異なるメディア幅値を持つ等した複数種類のロールメディアであり、芯部に、ロールメディアのメディア管理情報を記録した無線タグが付設されてなるロールメディアが収容されたストック部と、
該ストック部に収容された複数種類のロールメディアの芯部に付設された無線タグに記録されたメディア管理情報をそれぞれ読み取るストック部用読み取り手段と、
カット装置駆動用のホストコンピュータに読み込まれたカットデータに基づき、そのホストコンピュータにインストールされたアプリケーションソフトによりメディアを所望形状にカットするカット情報を取得するカット情報取得手段と、
前記ストック部に収容された複数種類のロールメディアの中から、前記ストック部用読み取り手段が読み取ったメディア管理情報を基準にして、前記カット情報取得手段が取得したカット情報に適合する適合ロールメディアを選択する選択手段と、
その適合ロールメディアをメディア供給部に送り込んで、その適合ロールメディアを、メディア供給部に巻き戻し可能に支持するメディア支持手段と、
カット装置のメディア供給部に支持されたロールメディアの芯部に付設された無線タグに記録されたメディア管理情報を読み取る供給部用読み取り手段と、
前記供給部用読み取り手段が読み取ったメディア管理情報と、前記カット情報取得手段が取得したカット情報とを比較、対比する対比手段と、
その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、そのメディア供給部に支持された不適合ロールメディアをメディア供給部から取り出すメディア取り出し手段と
が備えられてなることを特徴とするカット装置。
【請求項４】
請求項３記載のカット装置を用いたメディア管理方法であって、
前記ストック部用読み取り手段により、前記ストック部に収容された互いに異なるメディア残長さ値と互いに異なるメディア幅値を持つ等した複数種類のロールメディアの芯部に付設された無線タグに記録されたメディア管理情報をそれぞれ読み取ると共に、
前記カット情報取得手段により、カット装置駆動用のホストコンピュータに読み込まれたカットデータに基づき、そのホストコンピュータにインストールされたアプリケーションソフトによりメディアを所望形状にカットするカット情報を取得して、
前記選択手段により、前記ストック部に収容された複数種類のロールメディアの中から、前記ストック部用読み取り手段が読み取ったメディア管理情報を基準にして、前記カット情報取得手段が取得したカット情報に適合する適合ロールメディアを選択し、
その適合ロールメディアを、前記メディア支持手段により、メディア供給部に送り込んで、そのメディア供給部に巻き戻し可能に支持した後、
そのメディア供給部に支持した適合ロールメディアに巻かれたメディアをカット装置本体側に供給し、
かつ、
前記メディア供給部に支持された前記ロールメディアに巻かれたメディアをカット装置本体側に供給する前に、前記供給部用読み取り手段により、メディア供給部に支持されたロールメディアの芯部に付設された無線タグに記録されたメディア管理情報を読み取ると共に、
そのメディア管理情報とカット情報とを、前記対比手段により、比較、対比し、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、前記メディア取り出し手段により、そのメディア供給部に支持された不適合ロールメディアをメディア供給部から取り外すと共に、
前記選択手段により、そのストック部に収容された複数種類のロールメディアの中から、前記ストック部用読み取り手段が読み取ったメディア管理情報を基準にして、前記カット情報取得手段が取得したカット情報に適合する適合ロールメディアを選択し、
その適合ロールメディアを、前記メディア支持手段により、メディア供給部に送り込んで、そのメディア供給部に巻き戻し可能に支持した後、
そのメディア供給部に支持した適合ロールメディアに巻かれたメディアをカット装置本体側に供給することを特徴とするメディア管理方法。
【発明の詳細な説明】
【技術分野】
【０００１】
本発明は、帯状に長いシート等のメディアがロール状に巻かれたロールメディアと、そのロールメディアに画像をプリントするプリンタと、そのロールメディアを所望形状にカットするカット装置と、そのプリンタ又はカット装置に用いられるメディア管理方法とに関する。
【背景技術】
【０００２】
図９に示したような、ほぼ蒲鉾状をした横長のプラテン２０上方をプラテン２０表面とほぼ平行なＸ−Ｙ方向（図の左右方向と表裏面方向）に相対的に移動させるインクジェットヘッド３０に並ぶインク噴出口（図示せず）から噴射させたインク液滴をプラテン２０上に搭載されたメディア１１表面にドット状に着弾させて、そのメディア１１に絵図をプリントする、ホストコンピュータ（図示せず）により駆動操作されるインクジェットプリンタが周知である。
このインクジェットプリンタ等のプリンタにおいては、そのプラテン２０前方に備えられたメディア供給部５０に、帯状に長いシート等のメディア（記録媒体）１１が紙管１２周囲にロール状に巻き付けられたロールメディア１０を、巻き戻し可能に支持している。そして、そのメディア供給部５０に支持されたロールメディア１０を、その最外側のメディア１１部分から順に巻き戻して、プリンタ本体側に当たる、インクジェットプリンタのプラテン２０上に送り込んでいる。そして、そのプラテン２０上に送り込まれたメディア１１に絵図をプリントしている。絵図をプリントしたメディア１１は、プラテン２０後方に備えられたメディア巻き取り部６０にロール状に順に巻き取っている。
【０００３】
また、図１０に示したような、ほぼ蒲鉾状をした横長のプラテン２０上方をプラテン２０表面とほぼ平行なＸ−Ｙ方向（図の左右方向と表裏面方向）に相対的に移動させるヘッド４０にカッター４２が装着されてなる、ホストコンピュータ（図示せず）により駆動操作されるカッティングプロッタが周知である。
このカッティングプロッタ等のカット装置においても、そのプラテン２０前方に備えられたメディア供給部５０に、帯状に長いシート等のメディア（カット媒体）１１が紙管１２周囲にロール状に巻き付けられたロールメディア１０を、巻き戻し可能に支持している。そして、そのメディア供給部５０に支持されたロールメディア１０を、その最外側のメディア１１部分から順に巻き戻して、カット装置本体側に当たる、カッティングプロッタのプラテン２０上に送り込んでいる。そして、そのプラテン２０上に送り込まれたメディア１１を所望形状にカットしている。所望形状にカットしたメディア１１は、プラテン２０後方に備えられたメディア巻き取り部６０にロール状に順に巻き取っている。
【特許文献１】特開２００３−１４５７８３号公報
【特許文献２】特開２００４−０５０５０９号公報
【発明の開示】
【発明が解決しようとする課題】
【０００４】
ところで、上記プリンタを用いてロールメディア１０に巻かれたメディア１１に絵図をプリントする場合には、そのメディア供給部５０に支持されたロールメディア１０が、プリンタ駆動用のホストコンピュータに読み込まれたプリントデータに基づき、そのホストコンピュータにインストールされたアプリケーションソフトにより所望の絵図をプリントするのに適合する、適合ロールメディアであるか否かを、そのメディア供給部５０に支持されたロールメディア１０を目視観察する等して、専ら人為的手段により確認していた。具体的には、そのメディア供給部５０に支持されたロールメディア１０のメディア残長さ値やメディア幅値やそのロールメディア１０の種類や材質や光沢の有無等を、プリンタ操作者が目視等により確認していた。
同様に、上記カット装置を用いてロールメディア１０に巻かれたメディア１１を所望形状にカットする場合にも、そのメディア供給部５０に支持されたロールメディア１０が、カット装置駆動用のホストコンピュータに読み込まれたカットデータに基づき、そのホストコンピュータにインストールされたアプリケーションソフトにより所望形状にカットするのに適合する、適合ロールメディアであるか否かを、そのメディア供給部５０に支持されたロールメディア１０を目視観察する等して、専ら人為的手段により確認していた。具体的には、そのメディア供給部５０に支持されたロールメディア１０のメディア残長さ値やメディア幅値やそのロールメディア１０の種類や材質や光沢の有無等を、カット装置操作者が目視等により確認していた。
そのために、上記プリンタを用いてロールメディア１０に絵図をプリントしたり、上記カット装置を用いてロールメディア１０を所望形状にカットしたりするのに、多大な手数と時間を要した。
【０００５】
そこで、本発明者は、鋭意研究の結果、そのメディア供給部５０に支持されるロールメディア１０に無線タグを付設して、その無線タグにロールメディア１０のメディア残長さ値やメディア幅値やそのロールメディア１０の種類や材質や光沢の有無等のメディア管理情報を記録しておき、そのメディア管理情報を読み取り手段により読み取るようにすれば、その読み取ったメディア管理情報から、そのメディア供給部５０に支持されたロールメディア１０のメディア残長さ値やメディア幅値やそのロールメディア１０の種類や材質や光沢の有無等を、人為的手段に頼らずに、多大な手数と時間を掛けずに素早くかつ正確に認識できることに想到した。
そして、そのメディア供給部５０に支持されたロールメディア１０が、プリンタ駆動用のホストコンピュータに読み込まれたプリントデータに基づき、そのホストコンピュータにインストールされたアプリケーションソフトにより絵図をプリントするのに適合する、適合ロールメディアであるか否かを、多大な手数と時間を掛けずに迅速に判別できることに、想到した。そして、そのための、ロールメディア及びプリンタを開発した。
また、そのメディア供給部５０に支持されたロールメディア１０が、カット装置駆動用のホストコンピュータに読み込まれたカットデータに基づき、そのホストコンピュータにインストールされたアプリケーションソフトにより所望形状にカットするのに適合する、適合ロールメディアであるか否かを、多大な手数と時間を掛けずに迅速に判別できることに、想到した。そして、そのための、カット装置を開発した。
【０００６】
即ち、本発明は、プリンタのメディア供給部に支持されたロールメディアが、プリンタ駆動用のホストコンピュータに読み込まれたプリントデータに基づき、そのホストコンピュータにインストールされたアプリケーションソフトにより絵図をプリントするのに適合する、適合ロールメディアであるか否かを、多大な手数と時間を掛けずに迅速に判別できる、ロールメディア及びプリンタを提供することを、第１の目的としている。
また、本発明は、そのメディア供給部に支持されたロールメディアが、カット装置駆動用のホストコンピュータに読み込まれたカットデータに基づき、そのホストコンピュータにインストールされたアプリケーションソフトにより所望形状にカットするのに適合する、適合ロールメディアであるか否かを、多大な手数と時間を掛けずに迅速に判別できる、ロールメディア及びカット装置を提供することを、第２の目的としている。
【課題を解決するための手段】
【０００７】
上記第１、第２の目的を達成するために、本発明のロールメディアは、プリンタ又はカット装置のメディア供給部に巻き戻し可能に支持されるロールメディアであって、そのロール状に巻かれた最外側のメディア部分から漸次巻き戻されて、プリンタ本体側又はカット装置本体側に供給されるロールメディアにおいて、
前記ロールメディアの芯部に、ロールメディアのメディア管理情報を記録した無線タグが付設されてなることを特徴としている。
【０００８】
本発明のロールメディアにおいては、前記メディア管理情報が、メディア供給部に支持されたロールメディアのメディア残長さ値及びメディア幅値と、メディア供給部に支持されたロールメディアの種類、色及び光沢の有無のメディア固有情報を含んだものとすると良い。
また、前記メディア管理情報を記録した無線タグは、そのメディア管理情報を追加書き込み書き直し可能なものとすると良い。
そして、上記メディア固有情報のうちの、ロールメディアのメディア残長さ値等を、その使用状況に応じて、無線タグに随時自在に書き込み直したり、そのロールメディアの追加したい管理情報を、無線タグに自在に追加書き込みしたりできるようにすると良い。
【０００９】
本発明のロールメディアにおいては、前記芯部が、その周囲にメディアが巻き付けられた紙管から構成されていて、その紙管に無線タグが付設されてなるものとすると良い。
そして、無線タグに邪魔されて、ロールメディアの芯部近くに巻かれたメディア部分が巻き戻し困難になったり、ロールメディアの芯部近くに巻かれたメディア部分に絵図をプリントできなくなったり、ロールメディアの芯部近くに巻かれたメディア部分を所望形状にカットできなくなったりするのを、防ぐと良い。
【００１０】
また、上記第１の目的を達成するために、本発明の第１のプリンタは、互いに異なるメディア残長さ値と互いに異なるメディア幅値を持つ等した複数種類の本発明のロールメディアメディアが収容されたストック部と、該ストック部に収容された複数種類のロールメディアの芯部に付設された無線タグに記録されたメディア管理情報をそれぞれ読み取る読み取り手段と、プリンタ駆動用のホストコンピュータに読み込まれたプリントデータに基づき、そのホストコンピュータにインストールされたアプリケーションソフトによりメディアにプリントする絵図のプリント情報を取得するプリント情報取得手段と、前記ストック部に収容された複数種類のロールメディアの中から、前記読み取り手段が読み取ったメディア管理情報を基準にして、前記プリント情報取得手段が取得したプリント情報に適合する適合ロールメディアを選択する選択手段と、その適合ロールメディアをメディア供給部に送り込んで、その適合ロールメディアを、メディア供給部に巻き戻し可能に支持するメディア支持手段とが備えられてなることを特徴としている。
【００１１】
また、本発明の第１のメディア管理方法は、本発明のロールメディア及び本発明の第１のプリンタを用いたメディア管理方法であって、
第１のプリンタの読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取ると共に、第１のプリンタのプリント情報取得手段により、プリンタ駆動用のホストコンピュータに読み込まれたプリントデータに基づき、そのホストコンピュータにインストールされたアプリケーションソフトによりメディアにプリントする絵図のプリント情報を取得して、第１のプリンタの選択手段により、そのストック部に収容された複数種類のロールメディアの中から、その読み取り手段が読み取ったメディア管理情報を基準にして、そのプリント情報取得手段が取得したプリント情報に適合する適合ロールメディアを選択し、その適合ロールメディアを、第１のプリンタのメディア支持手段により、そのメディア供給部に送り込んで、そのメディア供給部に巻き戻し可能に支持した後、そのメディア供給部に支持した適合ロールメディアに巻かれたメディアをプリンタ本体側に供給することを特徴としている。
【００１２】
この第１のプリンタとロールメディアを用いた、第１のメディア管理方法においては、第１のプリンタの読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取ることができる。それと共に、第１のプリンタのプリント情報取得手段により、そのプリンタ駆動用のホストコンピュータに読み込まれたプリントデータに基づき、そのホストコンピュータにインストールされたアプリケーションソフトによりメディアにプリントする絵図のプリント情報を取得できる。そして、第１のプリンタの選択手段により、そのストック部に収容された複数種類のロールメディアの中から、その読み取り手段が読み取ったメディア管理情報を基準にして、そのプリント情報取得手段が取得したプリント情報に適合する適合ロールメディアを選択できる。そして、その適合ロールメディアを、第１のプリンタのメディア支持手段により、メディア供給部に送り込んで、そのメディア供給部に巻き戻し可能に支持できる。そして、そのメディア供給部に支持した適合ロールメディアに巻かれたメディアをプリンタ本体側に供給できる。
その結果、プリンタ操作者は、第１のプリンタのメディア供給部に支持されたロールメディアが、そのプリンタ駆動用のホストコンピュータに読み込まれたプリントデータに基づき、そのホストコンピュータにインストールされたアプリケーションソフトにより絵図をプリントするのに適合する適合ロールメディアであるか否かを、人為的に多大な手数と時間を掛けて判別する必要がなくなる。
【００１３】
また、上記第１の目的を達成するために、本発明の第２のプリンタは、そのメディア供給部に支持された本発明のロールメディアの芯部に付設された無線タグに記録されたメディア管理情報を読み取る読み取り手段と、プリンタ駆動用のホストコンピュータに読み込まれたプリントデータに基づき、そのホストコンピュータにインストールされたアプリケーションソフトによりメディアにプリントする絵図のプリント情報を取得するプリント情報取得手段と、その読み取り手段が読み取ったメディア管理情報と、プリント情報取得手段が取得したプリント情報とを比較、対比する対比手段と、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、警報を発する警報手段とが備えられてなることを特徴としている。
【００１４】
また、本発明の第２のメディア管理方法は、本発明のロールメディア及び本発明の第２のプリンタを用いたメディア管理方法であって、
第２のプリンタのメディア供給部に支持された本発明のロールメディアに巻かれたメディアをプリンタ本体側に供給する前に、第２のプリンタの読み取り手段により、そのメディア供給部に支持されたロールメディアの芯部に付設された無線タグに記録されたメディア管理情報を読み取ると共に、第２のプリント情報取得手段により、プリンタ駆動用のホストコンピュータに読み込まれたプリントデータに基づき、そのホストコンピュータにインストールされたアプリケーションソフトによりメディアにプリントする絵図のプリント情報を取得して、そのメディア管理情報とプリント情報とを、第２のプリンタの対比手段により、比較、対比し、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、第２のプリンタの警報手段により、警報を発することを特徴としている。
【００１５】
この第２のメディア管理方法においては、第２のプリンタのメディア供給部に支持された本発明のロールメディアに巻かれたメディアをプリンタ本体側に供給する前に、第２のプリンタの読み取り手段により、そのメディア供給部に支持された本発明のロールメディアの芯部に付設された無線タグに記録されたメディア管理情報を読み取ることができる。それと共に、第２のプリンタのプリント情報取得手段により、そのプリンタ駆動用のホストコンピュータに読み込まれたプリントデータに基づき、そのホストコンピュータにインストールされたアプリケーションソフトによりメディアにプリントする絵図のプリント情報を取得できる。そして、そのメディア管理情報とプリント情報とを、第２のプリンタの対比手段により、比較、対比できる。そして、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、第２のプリンタの警報手段により、警報を発して、プリンタ操作者に知らせることができる。
その結果、プリンタ操作者は、第２のプリンタのメディア供給部に支持されたロールメディアが、そのプリンタ駆動用のホストコンピュータに読み込まれたプリントデータに基づき、そのホストコンピュータにインストールされたアプリケーションソフトにより絵図をプリントするのに適合する適合ロールメディアであるか否かを、上記警報手段が警報を発するか否かにより、常に誤りなく容易かつ確実に判別することが可能となる。
【００１６】
また、上記第１の目的を達成するために、本発明の第３のプリンタは、そのプリンタのメディア供給部に支持された本発明のロールメディアの芯部に付設された無線タグに記録されたメディア管理情報を読み取る読み取り手段と、プリンタ駆動用のホストコンピュータに読み込まれたプリントデータに基づき、そのホストコンピュータにインストールされたアプリケーションソフトによりメディアにプリントする絵図のプリント情報を取得するプリント情報取得手段と、そのメディア供給部の読み取り手段が読み取ったメディア管理情報と、プリント情報取得手段が取得したプリント情報とを比較、対比する対比手段と、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、そのメディア供給部に支持された不適合ロールメディアをメディア供給部から取り出すメディア取り出し手段と、互いに異なるメディア残長さ値と互いに異なるメディア幅値を持つ等した複数種類の本発明のロールメディアメディアが収容されたストック部と、該ストック部に収容された複数種類のロールメディアの芯部に付設された無線タグに記録されたメディア管理情報をそれぞれ読み取る読み取り手段と、そのストック部に収容された複数種類のロールメディアの中から、そのストック部の読み取り手段が読み取ったメディア管理情報を基準にして、そのプリント情報取得手段が取得したプリント情報に適合する適合ロールメディアを選択する選択手段と、その適合ロールメディアをメディア供給部に送り込んで、その適合ロールメディアを、メディア供給部に巻き戻し可能に支持するメディア支持手段とが備えられてなることを特徴としている。
【００１７】
また、本発明の第３のメディア管理方法は、本発明のロールメディア及び本発明の第３のプリンタを用いたメディア管理方法であって、
第３のプリンタのメディア供給部に支持された本発明のロールメディアに巻かれたメディアをプリンタ本体側に供給する前に、第３のプリンタのメディア供給部の読み取り手段により、そのメディア供給部に支持されたロールメディアの芯部に付設された無線タグに記録されたメディア管理情報を読み取ると共に、第３のプリンタのプリント情報取得手段により、プリンタ駆動用のホストコンピュータに読み込まれたプリントデータに基づき、そのホストコンピュータにインストールされたアプリケーションソフトによりメディアにプリントする絵図のプリント情報を取得して、そのメディア管理情報とプリント情報とを、第３のプリンタの対比手段により、比較、対比し、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、第３のプリンタのメディア取り出し手段により、そのメディア供給部に支持された不適合ロールメディアをメディア供給部から取り外すと共に、第３のプリンタのストック部の読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取って、第３のプリンタの選択手段により、そのストック部に収容された複数種類のロールメディアの中から、そのストック部の読み取り手段が読み取ったメディア管理情報を基準にして、そのプリント情報取得手段が取得したプリント情報に適合する適合ロールメディアを選択し、その適合ロールメディアを、第３のプリンタのメディア支持手段により、メディア供給部に送り込んで、そのメディア供給部に巻き戻し可能に支持した後、そのメディア供給部に支持した適合ロールメディアに巻かれたメディアをプリンタ本体側に供給することを特徴としている。
【００１８】
この第３のメディア管理方法においては、第３のプリンタのメディア供給部に支持された本発明のロールメディアに巻かれたメディアをプリンタ本体側に供給する前に、第３のプリンタのメディア供給部の読み取り手段により、そのメディア供給部に支持されたロールメディアの芯部に付設された無線タグに記録されたメディア管理情報を読み取ることができる。それと共に、第３のプリンタのプリント情報取得手段により、そのプリンタ駆動用のホストコンピュータに読み込まれたプリントデータに基づき、そのホストコンピュータにインストールされたアプリケーションソフトによりメディアにプリントする絵図のプリント情報を取得できる。そして、そのメディア管理情報とプリント情報とを、第３のプリンタの対比手段により、比較、対比できる。そして、その対比手段により比較、対比したメディア管理情報の所定の数値と、それに対応するプリント情報の所定の数値との差が、所定許容範囲内から逸脱している場合、又はその対比手段により比較、対比したメディア管理情報の所定の固有情報と、それに対応するプリント情報の所定の固有情報とが、一致していない場合に、第３のプリンタのメディア取り出し手段により、そのメディア供給部に支持された不適合ロールメディアをメディア供給部から取り外すことができる。それと共に、第３のプリンタのストック部の読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取ることができる。そして、第３のプリンタの選択手段により、そのストック部に収容された複数種類のロールメディアの中から、そのストック部の読み取り手段が読み取ったメディア管理情報を基準にして、そのプリント情報取得手段が取得したプリント情報に適合する適合ロールメディアを選択できる。そして、その適合ロールメディアを、第３のプリンタのメディア支持手段により、そのメディア供給部に送り込んで、そのメディア供給部に巻き戻し可能に支持できる。そして、そのメディア供給部に支持した適合ロールメディアに巻かれたメディアをプリンタ本体側に供給できる。
その結果、プリンタ操作者は、第３のプリンタには自らは何の操作を人為的になすことなく、そのホストコンピュータにインストールされたアプリケーションソフトにより絵図をプリントするのに適合する適合ロールメディアを、そのメディア供給部に巻き戻し可能に自動的に支持することができる。
【００１９】
また、上記第２の目的を達成するために、本発明の第１のカット装置は、互いに異なるメディア残長さ値と互いに異なるメディア幅値を持つ等した複数種類の本発明のロールメディアメディアが収容されたストック部と、該ストック部に収容された複数種類のロールメディアの芯部に付設された無線タグに記録されたメディア管理情報をそれぞれ読み取る読み取り手段と、カット装置駆動用のホストコンピュータに読み込まれたカットデータに基づき、そのホストコンピュータにインストールされたアプリケーションソフトによりメディアを所望形状にカットするカット情報を取得するカット情報取得手段と、前記ストック部に収容された複数種類のロールメディアの中から、前記読み取り手段が読み取ったメディア管理情報を基準にして、前記カット情報取得手段が取得したカット情報に適合する適合ロールメディアを選択する選択手段と、その適合ロールメディアをメディア供給部に送り込んで、その適合ロールメディアを、メディア供給部に巻き戻し可能に支持するメディア支持手段とが備えられてなることを特徴としている。
【００２０】
また、本発明の第４のメディア管理方法は、本発明のロールメディア及び本発明の第１のカット装置を用いたメディア管理方法であって、
第１のカット装置の読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取ると共に、第１のカット装置のカット情報取得手段により、カット装置駆動用のホストコンピュータに読み込まれたカットデータに基づき、そのホストコンピュータにインストールされたアプリケーションソフトによりメディアを所望形状にカットするカット情報を取得して、第１のカット装置の選択手段により、そのストック部に収容された複数種類のロールメディアの中から、その読み取り手段が読み取ったメディア管理情報を基準にして、そのカット情報取得手段が取得したカット情報に適合する適合ロールメディアを選択し、その適合ロールメディアを、第１のカット装置のメディア支持手段により、そのメディア供給部に送り込んで、そのメディア供給部に巻き戻し可能に支持した後、そのメディア供給部に支持した適合ロールメディアに巻かれたメディアをカット装置本体側に供給することを特徴としている。
【００２１】
この第４のメディア管理方法においては、第１のカット装置の読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取ることができる。それと共に、第１のカット装置のプリント情報取得手段により、そのカット装置駆動用のホストコンピュータに読み込まれたカットデータに基づき、そのホストコンピュータにインストールされたアプリケーションソフトによりメディアを所望形状にカットするカット情報を取得できる。そして、第１のカット装置の選択手段により、そのストック部に収容された複数種類のロールメディアの中から、その読み取り手段が読み取ったメディア管理情報を基準にして、そのカット情報取得手段が取得したカット情報に適合する適合ロールメディアを選択できる。そして、その適合ロールメディアを、第１のカット装置のメディア支持手段により、そのメディア供給部に送り込んで、そのメディア供給部に巻き戻し可能に支持できる。そして、そのメディア供給部に支持した適合ロールメディアに巻かれたメディアを、カット装置本体側に供給できる。
その結果、カット装置操作者は、第１のカット装置のメディア供給部に支持されたロールメディアが、そのカット装置駆動用のホストコンピュータに読み込まれたカットデータに基づき、そのホストコンピュータにインストールされたアプリケーションソフトにより所望形状にカットするのに適合する適合ロールメディアであるか否かを、人為的に多大な手数と時間を掛けて判別する必要がなくなる。
【００２２】
また、本発明の第２のカット装置は、そのカット装置のメディア供給部に支持された本発明のロールメディアの芯部に付設された無線タグに記録されたメディア管理情報を読み取る読み取り手段と、カット装置駆動用のホストコンピュータに読み込まれたカットデータに基づき、そのホストコンピュータにインストールされたアプリケーションソフトによりメディアを所望形状にカットするカット情報を取得するカット情報取得手段と、その読み取り手段が読み取ったメディア管理情報と、カット情報取得手段が取得したカット情報とを比較、対比する対比手段と、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、警報を発する警報手段とが備えられてなることを特徴としている。
【００２３】
また、本発明の第５のメディア管理方法は、本発明のロールメディア及び本発明の第２のカット装置を用いたメディア管理方法であって、
第２のカット装置のメディア供給部に支持された本発明のロールメディアに巻かれたメディアをカット装置本体側に供給する前に、第２のカット装置の読み取り手段により、そのメディア供給部に支持されたロールメディアの芯部に付設された無線タグに記録されたメディア管理情報を読み取ると共に、第２のカット装置のカット情報取得手段により、カット装置駆動用のホストコンピュータに読み込まれたカットデータに基づき、そのホストコンピュータにインストールされたアプリケーションソフトによりメディアを所望形状にカットするカット情報を取得して、そのメディア管理情報とカット情報とを、第２のカット装置の対比手段により、比較、対比し、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、第２のカット装置の警報手段により、警報を発することを特徴としている。
【００２４】
この第５のメディア管理方法においては、第２のカット装置のメディア供給部に支持された本発明のロールメディアに巻かれたメディアをカット装置本体側に供給する前に、第２のカット装置の読み取り手段により、そのメディア供給部に支持されたロールメディアの芯部に付設された無線タグに記録されたメディア管理情報を読み取ることができる。それと共に、第２のカット装置のカット情報取得手段により、そのカット装置駆動用のホストコンピュータに読み込まれたカットデータに基づき、そのホストコンピュータにインストールされたアプリケーションソフトによりメディアを所望形状にカットするカット情報を取得できる。そして、そのメディア管理情報とカット情報とを、第２のカット装置の対比手段により、比較、対比できる。そして、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、第２のカット装置の警報手段により、警報を発して、カット装置操作者に知らせることができる。
その結果、カット装置操作者は、第２のカット装置のメディア供給部に支持されたロールメディアが、そのカット装置駆動用のホストコンピュータに読み込まれたカットデータに基づき、そのホストコンピュータにインストールされたアプリケーションソフトにより所望形状にカットするのに適合する適合ロールメディアであるか否かを、上記警報手段が警報を発するか否かにより、常に誤りなく容易かつ確実に判別することが可能となる。
【００２５】
また、本発明のロールメディアを用いる本発明の第３のカット装置は、そのカット装置のメディア供給部に支持された本発明のロールメディアの芯部に付設された無線タグに記録されたメディア管理情報を読み取る読み取り手段と、カット装置駆動用のホストコンピュータに読み込まれたカットデータに基づき、そのホストコンピュータにインストールされたアプリケーションソフトによりメディアを所望形状にカットするカット情報を取得するカット情報取得手段と、そのメディア供給部の読み取り手段が読み取ったメディア管理情報と、カット情報取得手段が取得したカット情報とを比較、対比する対比手段と、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、そのメディア供給部に支持された不適合ロールメディアをメディア供給部から取り出すメディア取り出し手段と、互いに異なるメディア残長さ値と互いに異なるメディア幅値を持つ等した複数種類の本発明のロールメディアメディアが収容されたストック部と、該ストック部に収容された複数種類のロールメディアの芯部に付設された無線タグに記録されたメディア管理情報をそれぞれ読み取る読み取り手段と、そのストック部に収容された複数種類のロールメディアの中から、そのストック部の読み取り手段が読み取ったメディア管理情報を基準にして、そのカット情報取得手段が取得したカット情報に適合する適合ロールメディアを選択する選択手段と、その適合ロールメディアをメディア供給部に送り込んで、その適合ロールメディアを、メディア供給部に巻き戻し可能に支持するメディア支持手段とが備えられてなることを特徴としている。
【００２６】
また、本発明の第６のメディア管理方法は、本発明のロールメディア及び本発明の第３のカット装置を用いたメディア管理方法であって、
第３のカット装置のメディア供給部に支持された本発明のロールメディアに巻かれたメディアをカット装置本体側に供給する前に、第３のカット装置のメディア供給部の読み取り手段により、そのメディア供給部に支持されたロールメディアの芯部に付設された無線タグに記録されたメディア管理情報を読み取ると共に、第３のカット装置のカット情報取得手段により、カット装置駆動用のホストコンピュータに読み込まれたカットデータに基づき、そのホストコンピュータにインストールされたアプリケーションソフトによりメディアを所望形状にカットするカット情報を取得して、そのメディア管理情報とカット情報とを、第３のカット装置の対比手段により、比較、対比し、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、第３のカット装置のメディア取り出し手段により、そのメディア供給部に支持された不適合ロールメディアをメディア供給部から取り外すと共に、第３のカット装置のストック部の読み取り手段により、そのストック部に収容された互いに異なるメディア残長さ値と互いに異なるメディア幅値を持つ等した複数種類のロールメディアの芯部に付設された無線タグに記録されたメディア管理情報をそれぞれ読み取って、第３のカット装置の選択手段により、そのストック部に収容された複数種類のロールメディアの中から、そのストック部の読み取り手段が読み取ったメディア管理情報を基準にして、そのカット情報取得手段が取得したカット情報に適合する適合ロールメディアを選択し、その適合ロールメディアを、そのメディア支持手段により、メディア供給部に送り込んで、そのメディア供給部に巻き戻し可能に支持することを特徴としている。
【００２７】
この第６のメディア管理方法においては、第３のカット装置のメディア供給部に支持された本発明のロールメディアに巻かれたメディアをカット装置本体側に供給する前に、第３のカット装置のメディア供給部の読み取り手段により、そのメディア供給部に支持された本発明のロールメディアの芯部に付設された無線タグに記録されたメディア管理情報を読み取ることができる。それと共に、第３のカット装置のカット情報取得手段により、そのカット装置駆動用のホストコンピュータに読み込まれたカットデータに基づき、そのホストコンピュータにインストールされたアプリケーションソフトによりメディアを所望形状にカットするカット情報を取得できる。そして、第３のカット装置の対比手段により、そのメディア管理情報とカット情報とを比較、対比できる。そして、その対比手段により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、第３のカット装置のメディア取り出し手段により、そのメディア供給部に支持された不適合ロールメディアをメディア供給部から取り外すことができる。それと共に、第３のカット装置のストック部の読み取り手段により、そのストック部に収容された互いに異なるメディア残長さ値と互いに異なるメディア幅値を持つ等した複数種類の本発明のロールメディアの芯部に付設された無線タグに記録されたメディア管理情報をそれぞれ読み取って、第３のカット装置の選択手段により、そのストック部に収容された複数種類のロールメディアの中から、そのストック部の読み取り手段が読み取ったメディア管理情報を基準にして、そのカット情報取得手段が取得したカット情報に適合する適合ロールメディアを選択できる。そして、第３のカット装置のメディア支持手段により、その適合ロールメディアを、そのメディア供給部に送り込んで、そのメディア供給部に巻き戻し可能に支持できる。そして、そのメディア供給部に支持した適合ロールメディアに巻かれたメディアを、カット装置本体側に供給できる。
その結果、カット装置操作者は、第３のカット装置には自らは何の操作を人為的になすことなく、そのホストコンピュータにインストールされたアプリケーションソフトにより所望形状にカットするのに適合する適合ロールメディアを、そのメディア供給部に巻き戻し可能に自動的に支持することが可能となる。
【発明の効果】
【００２８】
以上説明したように、本発明のロールメディア及び本発明の第１、第３のプリンタを用いた、本発明の第１、第３のメディア管理方法によれば、プリンタ操作者は、その第１、第３のプリンタには自らは何の操作を人為的になすことなく、そのホストコンピュータにインストールされたアプリケーションソフトにより絵図をプリントするのに適合する適合ロールメディアを、そのメディア供給部に巻き戻し可能に自動的に支持することが可能となる。
また、本発明のロールメディア及び本発明の第２のプリンタを用いた、本発明の第２のメディア管理方法によれば、そのメディア供給部に支持された本発明のロールメディアが、そのホストコンピュータにインストールされたアプリケーションソフトにより絵図をプリントするのに適合する適合ロールメディアであるか否かを、警報手段が警報を発するか否かにより、容易かつ確実に判別可能となる。そして、そのメディア供給部に支持された本発明のロールメディアが、適合ロールメディアであるか否かを、人為的に目視観察等により多大な手数と時間を掛けて判別する必要がなくなる。
また、本発明のロールメディア及び本発明の第１、第３のカット装置を用いた、本発明の第４、第６のメディア管理方法によれば、カット装置操作者は、その第１、第３のカット装置には自らは何の操作を人為的になすことなく、そのホストコンピュータにインストールされたアプリケーションソフトにより所望形状にカットするのに適合する適合ロールメディアを、そのメディア供給部に巻き戻し可能に自動的に支持することが可能となる。
また、本発明のロールメディア及び本発明の第２のカット装置を用いた、本発明の第５のメディア管理方法によれば、そのメディア供給部に支持された本発明のロールメディアが、そのホストコンピュータにインストールされたアプリケーションソフトにより所望形状にカットするのに適合する適合ロールメディアであるか否かを、警報手段が警報を発するか否かにより、容易かつ確実に判別可能となる。そして、そのメディア供給部に支持された本発明のロールメディアが、適合ロールメディアであるか否かを、人為的に目視観察等により多大な手数と時間を掛けて判別する必要がなくなる。
【発明を実施するための最良の形態】
【００２９】
図１は本発明のロールメディアの好適な実施の形態を示し、図１はその無線タグが付設されたメディア部分の斜視図である。以下に、このロールメディアを説明する。
【００３０】
このロールメディアは、第１、第２、第３のプリンタ又は第１、第２、第３のカット装置のメディア供給部５０に巻き戻し可能に支持されるロールメディア１０であって、そのロール状に巻かれた最外側のメディア部分１１から漸次巻き戻されて、プリンタ本体側又はカット装置本体側に供給されるロールメディア１０である。ロールメディアの芯部１４には、ロールメディア１０のメディア管理情報を記録した無線タグ７０が付設されている。
無線タグ７０に記録されたメディア管理情報は、そのメディア供給部５０に支持されたロールメディア１０のメディア残長さ値及びメディア幅値と、メディア供給部に支持されたロールメディア１０の種類、色及び光沢の有無のメディア固有情報を含んでいる。
また、このメディア管理情報を記録した無線タグ７０は、そのメディア管理情報を追加書き込み書き直し可能な構造をしている。そして、その無線タグ７０に記録されたメディア固有情報のうちの、ロールメディア１０のメディア残長さ値等を、その使用状況に応じて、プリンタ駆動用又はカット装置駆動用のホストコンピュータ１００から、無線タグ７０に随時自在に書き込み直したり、そのロールメディア１０の追加したいメディア管理情報を無線タグ７０に自在に追加書き込みしたりできる構造をしている。
無線タグ７０は、例えば図２にそのブロック構成図を示したように、ＥＥＰＲＯＭ（電気的に消去可能なプログラマブルＲＯＭ）、ＦｅＲＡＭ（強誘電体メモリー）、ＲＯＭ（読み出し専用メモリー）などからなるメモリーと、ロジック回路と、ＲＦ回路と、アンテナとが組み合わされて形成されている。
ロールメディアの芯部１４は、紙管１２から構成されていて、その紙管１２周囲に帯状に長いシート等のメディア１１が巻き付けられている。紙管１２内側には、無線タグ７０が付設されている。そして、その紙管１６に付設された無線タグ７０に邪魔されて、ロールメディアの芯部１４近くに巻かれたメディア１１部分が巻き戻し困難になったり、ロールメディアの芯部１４近くに巻かれたメディア１１部分に絵図をプリントできなくなったり、ロールメディアの芯部１４近くに巻かれたメディア１１部分を所望形状にカットできなくなったりするのが、防止されている。
【００３１】
図１に示したロールメディアは、以上のように構成されている。次に、このロールメディアが用いられる本発明の第１のプリンタの好適な実施の形態を説明する。図３はその概略構成図である。以下に、この第１のプリンタを説明する。
【００３２】
この第１のプリンタは、互いに異なるメディア残長さ値と互いに異なるメディア幅値を持つ等した複数種類の本発明のロールメディアメディア１０が並べて収容されたストック部８０を有している。ストック部８０には、該ストック部に収容された複数種類のロールメディアの芯部１４に付設された無線タグ７０に記録されたメディア管理情報をそれぞれ読み取る読み取り手段９０が備えられている。
読み取り手段９０は、例えば図２に示したように、アンテナとリーダ／ライターとから構成されている。そして、その読み取り手段９０を無線タグ７０に接触させずに接近させた状態として、その読み取り手段９０により、無線タグ７０に記録されたメディア管理情報を読み取ったり、無線タグ７０に記録されたメディア管理情報を書き直したり、無線タグ７０にメディア管理情報を追加書き込みしたりできる構造をしている。
また、プリンタ駆動用のホストコンピュータ１００に読み込まれたプリントデータに基づき、そのホストコンピュータ１００にインストールされたＲＩＰなどと呼ばれるアプリケーションソフトによりメディアにプリントする絵図のプリント情報を取得するプリント情報取得手段１１０が備えられている。プリント情報取得手段１１０は、ホストコンピュータ１００の電子回路等を用いて構成されている。
また、そのストック部８０に収容された複数種類の本発明のロールメディア１０の中から、そのストック部の読み取り手段９０が読み取ったメディア管理情報を基準にして、そのプリント情報取得手段１１０が取得したプリント情報に適合する適合ロールメディア１０を選択する選択手段１２０が備えられている。選択手段１２０は、ホストコンピュータ１００の電子回路等を用いて構成されている。
さらに、その選択手段１２０により選択した適合ロールメディア１０を、メディア供給部５０に送り込んで、その適合ロールメディア１０を、メディア供給部５０に巻き戻し可能に支持するメディア支持手段１３０が備えられている。メディア支持手段１３０は、ストック部８０とメディア供給部５０との間に架け渡されたメディア搬送通路１３２等から構成されている。
【００３３】
図３に示した第１のプリンタのその他の部分は、図９に示した従来汎用のインクジェットプリンタ等のプリンタと同様に構成されている。
次に、この第１のプリンタと本発明のロールメディアを用いた、本発明の第１のメディア管理方法の好適な実施の形態を説明する。
【００３４】
この第１のメディア管理方法においては、第１のプリンタの読み取り手段９０により、そのストック部８０に収容された互いに異なるメディア残長さ値と互いに異なるメディア幅値を持つ等した複数種類の本発明のロールメディアの芯部１４に付設された無線タグ７０に記録されたメディア管理情報をそれぞれ読み取っている。それと共に、第１のプリンタのプリント情報取得手段１１０により、そのプリンタ駆動用のホストコンピュータ１００に読み込まれたプリントデータに基づき、そのホストコンピュータ１００にインストールされたアプリケーションソフトによりメディアにプリントする絵図のプリント情報を取得している。そして、第１のプリンタの選択手段１２０により、そのストック部８０に収容された複数種類のロールメディア１０の中から、その読み取り手段９０が読み取ったメディア管理情報を基準にして、そのプリント情報取得手段１１０が取得したプリント情報に適合する適合ロールメディア１０を選択している。そして、その選択手段１２０により選択した適合ロールメディア１０を、第１のプリンタのメディア支持手段１３０により、メディア搬送通路１３２を通して、メディア供給部５０に送り込んで、そのメディア供給部５０に巻き戻し可能に支持している。そして、そのメディア供給部５０に支持した適合ロールメディア１０に巻かれたメディア１１をプリンタ本体側に供給している。
そして、プリンタ操作者が、第１のプリンタのメディア供給部５０に支持されたロールメディア１０が、そのプリンタ駆動用のホストコンピュータ１００に読み込まれたプリントデータに基づき、そのホストコンピュータ１００にインストールされたアプリケーションソフトにより絵図をプリントするのに適合する適合ロールメディアであるか否かを、人為的に多大な手数と時間を掛けて判別する必要をなくしている。
【００３５】
図４は本発明の第２のプリンタの好適な実施の形態を示し、図４はその概略構成図である。以下に、この第２のプリンタを説明する。
【００３６】
この第２のプリンタには、そのメディア供給部５０に支持された本発明のロールメディアの芯部１４に付設された無線タグ７０に記録されたメディア管理情報を読み取る読み取り手段９０が備えられている。読み取り手段９０は、前述と同様な構造をしている。
また、そのプリンタ駆動用のホストコンピュータ１００に読み込まれたプリントデータに基づき、そのホストコンピュータ１００にインストールされたＲＩＰなどと呼ばれるアプリケーションソフトによりメディアにプリントする絵図のプリント情報を取得するプリント情報取得手段１１０が備えられている。プリント情報取得手段１１０は、前述と同様な構造をしている。
また、その読み取り手段９０が読み取ったメディア管理情報と、プリント情報取得手段１１０が取得したプリント情報とを比較、対比する対比手段１４０が備えられている。対比手段１４０は、ホストコンピュータ１００の電子比較回路等を用いて構成されている。
さらに、その対比手段１４０により比較、対比したメディア管理情報の所定の数値と、それに対応するプリント情報の所定の数値との差が、所定許容範囲内から逸脱している場合、又はその対比手段１４０により比較、対比したメディア管理情報の所定の固有情報と、それに対応するプリント情報の所定の固有情報とが、一致していない場合に、警報を発する警報手段１５０が備えられている。警報手段は、ホストコンピュータ１００の電子回路と電子ブザー、赤ランプ等から構成されている。
【００３７】
その他は、図９に示した従来汎用のプリンタと同様に構成されている。次に、この第２のプリンタと本発明のロールメディアとを用いた、本発明の第２のメディア管理方法の好適な実施の形態を説明する。
【００３８】
この第２のメディア管理方法においては、第２のプリンタのメディア供給部５０に支持された本発明のロールメディア１０に巻かれたメディア１１をプリンタ本体側に供給する前に、第２のプリンタの読み取り手段９０により、そのメディア供給部５０に支持されたロールメディアの芯部１４に付設された無線タグ７０に記録されたメディア管理情報を読み取っている。それと共に、第２のプリンタのプリント情報取得手段１１０により、そのプリンタ駆動用のホストコンピュータ１００に読み込まれたプリントデータに基づき、そのホストコンピュータ１００にインストールされたアプリケーションソフトによりメディアにプリントする絵図のプリント情報を取得している。そして、そのメディア管理情報とプリント情報とを、第２のプリンタの対比手段１４０により、比較、対比している。そして、その対比手段１４０により比較、対比したメディア管理情報の所定の数値と、それに対応するプリント情報の所定の数値との差が、所定許容範囲内から逸脱している場合、又はその対比手段１４０により比較、対比したメディア管理情報の所定の固有情報と、それに対応するプリント情報の所定の固有情報とが、一致していない場合に、第２のプリンタの警報手段１５０により、警報を発して、プリンタ操作者に知らせている。
そして、プリンタ操作者が、第２のプリンタのメディア供給部５０に支持された本発明のロールメディア１０が、そのプリンタ駆動用のホストコンピュータ１００に読み込まれたプリントデータに基づき、そのホストコンピュータ１００にインストールされたアプリケーションソフトにより絵図をプリントするのに適合する適合ロールメディアであるか否かを、上記警報手段１５０が警報を発するか否かにより、常に誤りなく容易かつ確実に判別できるようにしている。
【００３９】
図５は本発明の第３のプリンタの好適な実施の形態を示し、図５はその概略構成図である。以下に、この第３のプリンタを説明する。
【００４０】
この第３のプリンタには、そのプリンタのメディア供給部５０に支持された本発明のロールメディアの芯部１４に付設された無線タグ７０に記録されたメディア管理情報を読み取る読み取り手段９０が備えられている。読み取り手段９０は、前述と同様な構造をしている。
また、その第３のプリンタ駆動用のホストコンピュータ１００に読み込まれたプリントデータに基づき、そのホストコンピュータ１００にインストールされたアプリケーションソフトによりメディアにプリントする絵図のプリント情報を取得するプリント情報取得手段１１０が備えられている。プリント情報取得手段１１０は、前述と同様な構造をしている。
また、その第３のプリンタのメディア供給部の読み取り手段９０が読み取ったメディア管理情報と、プリント情報取得手段１１０が取得したプリント情報とを比較、対比する対比手段１４０が備えられている。対比手段１４０は、前述と同様な構造をしている。
また、その対比手段１４０により比較、対比したメディア管理情報の所定の数値と、それに対応するプリント情報の所定の数値との差が、所定許容範囲内から逸脱している場合、又はその対比手段１４０により比較、対比したメディア管理情報の所定の固有情報と、それに対応するプリント情報の所定の固有情報とが、一致していない場合に、そのメディア供給部５０に支持された不適合ロールメディア１０をメディア供給部５０から取り出すメディア取り出し手段１６０が備えられている。メディア取り出し手段１６０は、ロールメディア１０をメディア供給部５０から搬出するメディア搬出通路１６２等から構成されている。
また、互いに異なるメディア残長さ値と互いに異なるメディア幅値を持つ等した複数種類の本発明のロールメディア１０が並べて収容されたストック部８０を有している。ストック部８０には、該ストック部に収容された複数種類の本発明のロールメディアの芯部１４に付設された無線タグ７０に記録されたメディア管理情報をそれぞれ読み取る読み取り手段９０が備えられている。読み取り手段９０は、前述と同様な構造をしている。
また、その第３のプリンタのストック部８０に収容された複数種類のロールメディア１０の中から、第３のプリンタのストック部の読み取り手段９０が読み取ったメディア管理情報を基準にして、そのプリント情報取得手段１１０が取得したプリント情報に適合する適合ロールメディア１０を選択する選択手段１２０が備えられている。選択手段１２０は、前述同様な構造をしている。
さらに、その第３のプリンタの選択手段１２０が選択した適合ロールメディア１０を、メディア供給部５０に送り込んで、そのメディア供給部５０に巻き戻し可能に支持するメディア支持手段１３０が備えられている。メディア支持手段１３０は、前述と同様な構造をしている。
【００４１】
その他は、図９に示した従来汎用のプリンタと同様に構成されている。次に、この第３のプリンタと本発明のロールメディアとを用いた、本発明の第３のメディア管理方法の好適な実施の形態を説明する。
【００４２】
この第３のメディア管理方法においては、第３のプリンタのメディア供給部５０に支持された本発明のロールメディア１０に巻かれたメディア１１をプリンタ本体側に供給する前に、第３のプリンタのメディア供給部の読み取り手段９０により、そのメディア供給部５０に支持されたロールメディアの芯部１４に付設された無線タグ７０に記録されたメディア管理情報を読み取っている。それと共に、第３のプリンタのプリント情報取得手段１１０により、そのプリンタ駆動用のホストコンピュータ１００に読み込まれたプリントデータに基づき、そのホストコンピュータ１００にインストールされたアプリケーションソフトによりメディアにプリントする絵図のプリント情報を取得している。そして、そのメディア管理情報とプリント情報とを、第３のプリンタの対比手段１４０により、比較、対比している。そして、その対比手段１４０により比較、対比したメディア管理情報の所定の数値と、それに対応するプリント情報の所定の数値との差が、所定許容範囲内から逸脱している場合、又はその対比手段１４０により比較、対比したメディア管理情報の所定の固有情報と、それに対応するプリント情報の所定の固有情報とが、一致していない場合に、第３のプリンタのメディア取り出し手段１６０により、そのメディア供給部５０に支持された不適合ロールメディア１０を、メディア搬出通路１６２等を通して、メディア供給部５０から取り外している。それと共に、第３のプリンタのストック部の読み取り手段９０により、そのストック部８０に収容された互いに異なるメディア残長さ値と互いに異なるメディア幅値を持つ等した複数種類の本発明のロールメディアの芯部１４に付設された無線タグ７０に記録されたメディア管理情報をそれぞれ読み取っている。そして、第３のプリンタの選択手段１２０により、そのストック部８０に収容された複数種類のロールメディア１０の中から、そのストック部の読み取り手段９０が読み取ったメディア管理情報を基準にして、そのプリント情報取得手段１１０が取得したプリント情報に適合する適合ロールメディア１０を選択している。そして、その選択手段１２０により選択した適合ロールメディア１０を、第３のプリンタのメディア支持手段１３０により、メディア供給部５０に送り込んで、そのメディア供給部５０に巻き戻し可能に支持している。
そして、プリンタ操作者が、第３のプリンタには自らは何の操作を人為的になすことなく、そのホストコンピュータ１００にインストールされたアプリケーションソフトにより絵図をプリントするのに適合する適合ロールメディア１０を、そのメディア供給部５０に巻き戻し可能に自動的に支持できるようにしている。
また、その対比手段１４０により比較、対比したメディア管理情報の所定の数値と、それに対応するプリント情報の所定の数値との差が、所定許容範囲にあったり、その対比手段１４０により比較、対比したメディア管理情報の所定の固有情報と、それに対応するプリント情報の所定の固有情報とが、一致したりしている場合には、そのメディア供給部５０に支持された適合ロールメディア１０を、第３のプリンタのメディア取り出し手段１６０により、メディア供給部５０から取り外さずに、その適合ロールメディア１０を、そのメディア供給部５０に巻き戻し可能に支持し続けている。そして、第３のプリンタのメディア供給部５０に、適合ロールメディア１０を常に巻き戻し可能に支持できるようにしている。
【００４３】
図６は本発明の第１のカット装置の好適な実施の形態を示し、図６はその概略構成図である。以下に、このカット装置を説明する。
【００４４】
この第１のカット装置には、互いに異なるメディア残長さ値と互いに異なるメディア幅値を持つ等した複数種類の本発明のロールメディア１０が並べて収容されたストック部８０が備えられている。ストック部８０には、該ストック部に収容された複数種類のロールメディアの芯部１４に付設された無線タグ７０に記録されたメディア管理情報をそれぞれ読み取る読み取り手段９０が備えられている。読み取り手段９０は、前述と同様な構造をしている。
また、その第１のカット装置駆動用のホストコンピュータ１００に読み込まれたカットデータに基づき、そのホストコンピュータ１００にインストールされたＲＩＰなどと呼ばれるアプリケーションソフトによりメディアを所望形状にカットするカット情報を取得するカット情報取得手段１１２が備えられている。カット情報取得手段１１２は、ホストコンピュータ１００の電子回路等を用いて形成されている。
また、そのストック部８０に収容された複数種類の本発明のロールメディア１０の中から、その読み取り手段９０が読み取ったメディア管理情報を基準にして、そのカット情報取得手段１１２が取得したカット情報に適合する適合ロールメディア１０を選択する選択手段１２０が備えられている。選択手段１２０は、前述と同様な構造をしている。
さらに、その選択手段１２０が選択した適合ロールメディア１０を、メディア供給部５０に送り込んで、その適合ロールメディア１０を、メディア供給部５０に巻き戻し可能に支持するメディア支持手段１３０が備えられている。メディア支持手段１３０は、前述と同様な構造をしている。
【００４５】
その他は、図１０に示した従来汎用のカット装置と同様に構成されている。次に、この第１のカット装置と本発明のロールメディアを用いた、本発明の第４のメディア管理方法の好適な実施の形態を説明する。
【００４６】
この第４のメディア管理方法においては、第１のカット装置の読み取り手段９０により、そのストック部８０に収容された互いに異なるメディア残長さ値と互いに異なるメディア幅値を持つ等した複数種類の本発明のロールメディアの芯部１４に付設された無線タグ７０に記録されたメディア管理情報をそれぞれ読み取っている。それと共に、第１のカット装置のカット情報取得手段１１２により、そのカット装置駆動用のホストコンピュータ１００に読み込まれたカットデータに基づき、そのホストコンピュータ１００にインストールされたアプリケーションソフトによりメディアを所望形状にカットするカット情報を取得している。そして、第１のカット装置の選択手段１２０により、そのストック部８０に収容された複数種類のロールメディア１０の中から、その読み取り手段９０が読み取ったメディア管理情報を基準にして、そのカット情報取得手段１１２が取得したカット情報に適合する適合ロールメディア１０を選択している。そして、その選択手段１２０により選択した適合ロールメディア１０を、第１のカット装置のメディア支持手段１３０により、そのメディア供給部５０に送り込んで、そのメディア供給部５０に巻き戻し可能に支持している。そして、そのメディア供給部５０に支持した適合ロールメディア１０に巻かれたメディア１１を、カット装置本体側に供給している。
そして、カット装置操作者が、第１のカット装置のメディア供給部５０に支持されたロールメディア１０が、そのカット装置駆動用のホストコンピュータ１００に読み込まれたカットデータに基づき、そのホストコンピュータ１００にインストールされたアプリケーションソフトにより所望形状にカットするのに適合する適合ロールメディアであるか否かを、人為的に多大な手数と時間を掛けて判別する必要をなくしている。
【００４７】
図７は本発明の第２のカット装置の好適な実施の形態を示し、図７はその概略構成図である。以下に、この第２のカット装置を説明する。
【００４８】
この第２のカット装置には、そのカット装置のメディア供給部５０に支持された本発明のロールメディアの芯部１４に付設された無線タグ７０に記録されたメディア管理情報を読み取る読み取り手段９０が備えられている。
また、その第２のカット装置駆動用のホストコンピュータ１００に読み込まれたカットデータに基づき、そのホストコンピュータ１００にインストールされたアプリケーションソフトによりメディアを所望形状にカットするカット情報を取得するカット情報取得手段１１２が備えられている。カット情報取得手段１１２は、前述と同様な構造をしている。
また、その読み取り手段９０が読み取ったメディア管理情報と、カット情報取得手段１１２が取得したカット情報とを比較、対比する対比手段１４０が備えられている。対比手段１４０は、前述と同様な構造をしている。
さらに、その対比手段１４０により比較、対比したメディア管理情報の所定の数値と、それに対応するカット情報の所定の数値との差が、所定許容範囲内から逸脱している場合、又はその対比手段１４０により比較、対比したメディア管理情報の所定の固有情報と、それに対応するカット情報の所定の固有情報とが、一致していない場合に、警報を発する警報手段１５０が備えられている。警報手段１５０は、前述と同様な構造をしている。
【００４９】
その他は、図１０に示した従来汎用のカット装置と同様に構成されている。次に、この第２のカット装置と本発明のロールメディアを用いた、本発明の第５のメディア管理方法の好適な実施の形態を説明する。
【００５０】
この第５のメディア管理方法においては、第２のカット装置のメディア供給部５０に支持された本発明のロールメディア１０に巻かれたメディア１１をカット装置本体側に供給する前に、第２のカット装置の読み取り手段９０により、そのメディア供給部５０に支持されたロールメディアの芯部１４に付設された無線タグ７０に記録されたメディア管理情報を読み取っている。それと共に、第２のカット装置のカット情報取得手段１１２により、その第２のカット装置駆動用のホストコンピュータ１００に読み込まれたカットデータに基づき、そのホストコンピュータ１００にインストールされたアプリケーションソフトによりメディアを所望形状にカットするカット情報を取得している。そして、そのメディア管理情報とカット情報とを、第２のカット装置の対比手段１４０により、比較、対比している。そして、その対比手段１４０により比較、対比したメディア管理情報の所定の数値と、それに対応するカット情報の所定の数値との差が、所定許容範囲内から逸脱している場合、又はその対比手段１４０により比較、対比したメディア管理情報の所定の固有情報と、それに対応するカット情報の所定の固有情報とが、一致していない場合に、第２のカット装置の警報手段１５０により、警報を発して、そのことをカット装置操作者に知らせている。
そして、カット装置操作者が、第２のカット装置のメディア供給部５０に支持された本発明のロールメディア１０が、そのカット装置駆動用のホストコンピュータ１００に読み込まれたカットデータに基づき、そのホストコンピュータ１００にインストールされたアプリケーションソフトにより所望形状にカットするのに適合する適合ロールメディアであるか否かを、警報手段１５０が警報を発するか否かにより、常に誤りなく容易かつ確実に判別できるようにしている。
【００５１】
図８は本発明の第３のカット装置の好適な実施の形態を示し、図８はその概略構成図である。以下に、この第３のカット装置を説明する。
【００５２】
この第３のカット装置には、そのカット装置のメディア供給部５０に支持された本発明のロールメディアの芯部１４に付設された無線タグ７０に記録されたメディア管理情報を読み取る読み取り手段９０が備えられている。読み取り手段９０は、前述と同様な構造をしている。
また、その第３のカット装置駆動用のホストコンピュータ１００に読み込まれたカットデータに基づき、そのホストコンピュータ１００にインストールされたアプリケーションソフトによりメディアを所望形状にカットするカット情報を取得するカット情報取得手段１１２が備えられている。カット情報取得手段１１２は、前述と同様な構造をしている。
また、その第３のカット装置のメディア供給部の読み取り手段９０が読み取ったメディア管理情報と、カット情報取得手段１１２が取得したカット情報とを比較、対比する対比手段１４０が備えられている。対比手段１４０は、前述と同様な構造をしている。
また、その対比手段１４０により比較、対比したメディア管理情報の所定の数値と、それに対応するカット情報の所定の数値との差が、所定許容範囲内から逸脱している場合、又はその対比手段により比較、対比したメディア管理情報の所定の固有情報と、それに対応するカット情報の所定の固有情報とが、一致していない場合に、そのメディア供給部５０に支持された不適合ロールメディア１０をメディア供給部５０から取り出すメディア取り出し手段１６０が備えられている。メディア取り出し手段１６０は、前述と同様な構造をしている。
また、互いに異なるメディア残長さ値と互いに異なるメディア幅値を持つ等した複数種類の本発明のロールメディア１０が収容されたストック部８０が備えられている。ストック部８０には、該ストック部に収容された複数種類の本発明のロールメディアの芯部１４に付設された無線タグ７０に記録されたメディア管理情報をそれぞれ読み取る読み取り手段９０が備えられている。読み取り手段９０は、前述と同様な構造をしている。
また、そのストック部８０に収容された複数種類のロールメディア１０の中から、そのストック部の読み取り手段９０が読み取ったメディア管理情報を基準にして、そのカット情報取得手段１１２が取得したカット情報に適合する適合ロールメディア１０を選択する選択手段１２０が備えられている。選択手段１２０は、前述と同様な構造をしている。
さらに、その選択手段１２０が選択した適合ロールメディア１０を、メディア供給部５０に送り込んで、その適合ロールメディア１０を、そのメディア供給部５０に巻き戻し可能に支持するメディア支持手段１３０が備えられている。メディア支持手段１３０は、前述と同様な構造をしている。
【００５３】
その他は、図１０に示した従来汎用のカット装置と同様に構成されている。次に、この第３のカット装置と本発明のロールメディアを用いた、本発明の第６のメディア管理方法の好適な実施の形態を説明する。
【００５４】
この第６のメディア管理方法においては、第３のカット装置のメディア供給部５０に支持された本発明のロールメディア１０に巻かれたメディア１１をカット装置本体側に供給する前に、そのメディア供給部の読み取り手段９０により、そのメディア供給部５０に支持されたロールメディアの芯部１４に付設された無線タグ７０に記録されたメディア管理情報を読み取っている。それと共に、第３のカット装置のカット情報取得手段１１２により、その第３のカット装置駆動用のホストコンピュータ１００に読み込まれたカットデータに基づき、そのホストコンピュータ１００にインストールされたアプリケーションソフトによりメディアを所望形状にカットするカット情報を取得している。そして、そのメディア管理情報とカット情報とを、第３のカット装置の対比手段１４０により、比較、対比している。そして、その対比手段１４０により比較、対比したメディア管理情報の所定の数値と、それに対応するカット情報の所定の数値との差が、所定許容範囲内から逸脱している場合、又はその対比手段１４０により比較、対比したメディア管理情報の所定の固有情報と、それに対応するカット情報の所定の固有情報とが、一致していない場合に、第３のカット装置のメディア取り出し手段１６０により、そのメディア供給部５０に支持された不適合ロールメディア１０をメディア供給部５０から取り外している。それと共に、そのストック部の読み取り手段９０により、そのストック部８０に収容された互いに異なるメディア残長さ値と互いに異なるメディア幅値を持つ等した複数種類の本発明のロールメディアの芯部１４に付設された無線タグ７０に記録されたメディア管理情報をそれぞれ読み取っている。そして、第３のカット装置の選択手段１２０により、そのストック部８０に収容された複数種類のロールメディア１０の中から、そのストック部の読み取り手段９０が読み取ったメディア管理情報を基準にして、そのカット情報取得手段１１２が取得したカット情報に適合する適合ロールメディア１０を選択している。そして、その適合ロールメディア１０を、第２のカット装置のメディア支持手段１３０により、メディア供給部５０に送り込んで、そのメディア供給部５０に巻き戻し可能に支持している。
そして、カット装置操作者が、第３のカット装置には自らは何の操作を人為的になすことなく、そのホストコンピュータ１００にインストールされたアプリケーションソフトにより所望形状にカットするのに適合する適合ロールメディア１０を、メディア供給部５０に巻き戻し可能に自動的に支持できるようにしている。
また、その対比手段１４０により比較、対比したメディア管理情報の所定の数値と、それに対応するカット情報の所定の数値との差が、所定許容範囲にあったり、その対比手段１４０により比較、対比したメディア管理情報の所定の固有情報と、それに対応するカット情報の所定の固有情報とが、一致したりしている場合には、そのメディア供給部５０に支持された適合ロールメディア１０を、第３のカット装置のメディア取り出し手段１６０により、メディア供給部５０から取り外さずに、その適合ロールメディア１０を、そのメディア供給部５０に巻き戻し可能に支持し続けている。そして、第３のカット装置のメディア供給部５０に、適合ロールメディア１０を常に巻き戻し可能に支持できるようにしている。
【産業上の利用可能性】
【００５５】
本発明のロールメディアと本発明の第１、第２、第３のプリンタを用いた、本発明の第１、第２、第３の管理方法は、ロールメディアに絵図をプリントするインクジェットプリンタ、レーザープリンタ、インクドットプリンタ等の様々の種類のプリンタに広く利用可能である。
本発明のロールメディアと本発明の第１、第２、第３のカット装置を用いた、本発明の第４、第５、第６のメディア管理方法は、ロールメディアを所望形状にカットするカッティングプロッタ等の様々の種類のカット装置に広く利用可能である。
【図面の簡単な説明】
【００５６】
【図１】本発明のロールメディアの斜視図である。
【図２】無線タグ及び読み取り手段の概略構成図である。
【図３】本発明の第１のプリンタの概略構成図である。
【図４】本発明の第２のプリンタの概略構成図である。
【図５】本発明の第３のプリンタの概略構成図である。
【図６】本発明の第１のカット装置の概略構成図である。
【図７】本発明の第２のカット装置の概略構成図である。
【図８】本発明の第３のカット装置の概略構成図である。
【図９】インクジェットプリンタの概略構成図である。
【図１０】カッティングプロッタの概略構成図である。
【符号の説明】
【００５７】
１０  ロールメディア
１２  紙管
１４  ロールメディアの芯部
２０  プラテン
３０  インクジェットヘッド
４０  ヘッド
４２  カッター
５０  メディア供給部
６０  メディア巻き取り部
７０  無線タグ
８０  ストック部
９０  読み取り手段
１００  ホストコンピュータ
１１０  プリント情報取得手段
１１２  カット情報取得手段
１２０  選択手段
１３０  メディア支持手段
１４０  対比手段
１５０  警報手段
１６０  メディア取り出し手段
【図１】
0004398926.tif 000002
【図２】
0004398926.tif 000003
【図３】
0004398926.tif 000004
【図４】
0004398926.tif 000005
【図５】
0004398926.tif 000006
【図６】
0004398926.tif 000007
【図７】
0004398926.tif 000008
【図８】
0004398926.tif 000009
【図９】
0004398926.tif 000010
【図１０】
0004398926.tif 000011